(57)【特許請求の範囲】
【請求項１】
試験手順を作成する試験手順作成装置であって、
前記試験手順を構成する手順から待機する手順である待機手順を選択するための指定を入力させる待機手順選択手段と、
前記待機手順選択手段によって選択された前記待機手順に対応付けて、前記試験手順によって測定される測定項目を入力部から選択させて、前記待機手順に対応付けて記憶させる測定項目選択手段と、
前記測定項目選択手段によって選択された前記待機手順に対応付けて記憶させた前記測定項目の測定値を、前記試験手順が実行されて前記待機手順が実行された場合に表示するように、前記測定項目の測定値を表示する測定項目表示処理を前記試験手順に組み込む表示処理組み込み手段と、を備える試験手順作成装置。
【請求項２】
前記表示処理組み込み手段は、前記試験手順の実行中に、前記測定項目の測定値を表示する測定項目表示処理を行うか否かを変更できるように組み込む、
請求項１に記載の試験手順作成装置。
【請求項３】
前記試験手順をフローチャートで表示手段に表示出力し、指定を入力手段から入力する入出力処理手段をさらに備え、
前記待機手順の選択は、前記入出力処理手段によって表示出力されたフローチャート上で指定入力される、
請求項１又は２に記載の試験手順作成装置。
【請求項４】
コンピュータに、試験手順を作成させる試験手順作成方法を実行させるためのプログラムであって、
試験手順を構成する手順から待機する手順である待機手順を選択するための指定を入力させる待機手順選択ステップと、
前記待機手順選択ステップによって選択された前記待機手順に対応付けて、前記試験手順によって測定される測定項目を入力部から選択させて、前記待機手順に対応付けて記憶させる測定項目選択ステップと、
前記測定項目選択ステップによって選択された前記待機手順に対応付けて記憶させた前記測定項目の測定値を、前記試験手順が実行されて前記待機手順が実行された場合に表示するように、前記測定項目の測定値を表示する測定項目表示処理を前記待機手順に組み込む表示処理組み込みステップと、
を実行させるためのプログラム。
【発明の詳細な説明】
【技術分野】
【０００１】
本発明は、試験手順作成装置及びプログラムに関する。
【背景技術】
【０００２】
従来より、エンジン及び車両の耐久試験、性能試験、法規制試験等の各種試験は、エンジン及び車両の設計・開発過程において、重要なプロセスの一つである。このような各種試験について、試験をコンピュータプログラムで自動的に実行するための提案や、試験用プログラムを効率よく作成するための提案等の様々な提案が行われている。
【０００３】
例えば、特許文献１には、試験経過の過程について表示を行う交換機試験システムが記載されている。この交換機試験システムにおいて、サーバは、ネットワーク上の各クライアントに対し、それぞれ割り当てた交換機の試験手段となる自動実行プログラム、試験手順ファイル、及び試験プログラム一式を転送し、各クライアントは、自動的に各交換機の試験の実行を行い、サーバへ試験進捗状況を報告する。
【先行技術文献】
【特許文献】
【０００４】
【特許文献１】特開２０００−０２２８１７号公報
【発明の概要】
【発明が解決しようとする課題】
【０００５】
このように、試験プログラムを自動的に実行し、実行している試験の進捗状況を報告するシステムは、上述のように存在する。
しかしながら、複雑な試験手順をユーザが入力して試験プログラムを作成する段階において、作成した試験がユーザの意図通りに動作するか否かを、ユーザが確認することは容易ではない。さらに、試験対象に指令を送信したり、試験対象からデータを受信したりするために試験対象からの応答を待つ必要のある試験や、試験対象の状態の安定を待つことが必要な試験等において、試験手順を入力したユーザの意図通りに試験が行われているか否かを、確認することはさらに容易ではない。
【０００６】
そこで、試験手順を入力したユーザの意図通りに試験プログラムが動作していることを、ユーザが容易に確認することができるようにする装置が望まれている。
【０００７】
本発明は、試験手順を入力したユーザの意図通りに試験プログラムが動作していることを、ユーザが容易に確認することができるようにする試験手順作成装置及びプログラムを提供することを目的とする。
【課題を解決するための手段】
【０００８】
本発明では、以下のような解決手段を提供する。
（１）  試験手順を作成する試験手順作成装置であって、前記試験手順を構成する手順のうち待機する手順である待機手順を選択する待機手順選択手段と、前記待機手順選択手段によって選択された前記待機手順に対応付けて、前記試験手順によって測定される測定項目を選択する測定項目選択手段と、前記測定項目選択手段によって選択されて前記待機手順に対応付けられた前記測定項目の値を、前記試験手順が実行されて前記待機手順が実行された場合に表示するように、前記測定項目を表示する測定項目表示処理を前記試験手順に組み込む表示処理組み込み手段と、を備える試験手順作成装置。
【０００９】
（１）の構成によれば、本発明に係る試験手順作成装置は、試験手順を構成する手順のうち待機する手順である待機手順を選択し、選択した待機手順に対応付けて、試験手順によって測定される測定項目を選択し、選択して待機手順に対応付けられた測定項目の値を、試験手順が実行されて待機手順が実行された場合に表示するように、測定項目を表示する測定項目表示処理を試験手順に組み込む。
【００１０】
したがって、本発明に係る試験手順作成装置は、試験手順が実行されて待機手順が実行された場合に待機手順に対応付けられた測定項目の値を表示するように、測定項目表示処理を試験手順に組み込むので、試験手順を入力したユーザの意図通りに試験プログラムが動作していることを、ユーザが容易に確認することができるようにすることができる。
【００１１】
（２）  前記表示処理組み込み手段は、前記試験手順の実行中に、前記測定項目の値を表示するか否かを変更できるように組み込む、（１）に記載の試験手順作成装置。
【００１２】
したがって、（２）に係る試験手順作成装置は、試験手順を入力したユーザの意図通りに試験プログラムが動作していることを、試験の実行中にユーザが容易に確認することができるようにすることができる。
【００１３】
（３）  前記試験手順をフローチャートで表示手段に表示出力し、指定を入力手段から入力する入出力処理手段をさらに備え、前記待機手順の選択は、前記入出力処理手段によって表示出力されたフローチャート上で指定入力される、（１）又は（２）に記載の試験手順作成装置。
【００１４】
したがって、（３）に係る試験手順作成装置は、試験手順を入力したユーザの意図通りに試験プログラムが動作していることを、操作性よくユーザが容易に確認することができるようにすることができる。
【００１５】
（４）  コンピュータに、試験手順を構成する手順のうち待機する手順である待機手順を選択する待機手順選択ステップと、前記待機手順選択ステップによって選択された前記待機手順に対応付けて、前記試験手順によって測定される測定項目を選択する測定項目選択ステップと、前記測定項目選択ステップによって選択されて前記待機手順に対応付けられた前記測定項目の値を、前記試験手順が実行されて前記待機手順が実行された場合に表示するように、前記測定項目を表示する測定項目表示処理を前記試験手順に組み込む表示処理組み込みステップと、を実行させるためのプログラム。
【００１６】
したがって、（４）に係るプログラムは、コンピュータに実行させて、（１）と同様に、試験手順を入力したユーザの意図通りに試験プログラムが動作していることを、ユーザが容易に確認することができるようにすることができる。
【発明の効果】
【００１７】
本発明によれば、試験手順を入力したユーザの意図通りに試験プログラムが動作していることを、ユーザが容易に確認することができるようにすることができる。
【図面の簡単な説明】
【００１８】
【図１】本発明の一実施形態に係る試験手順作成装置の機能構成を示すブロック図である。
【図２】本発明の一実施形態に係る試験手順ファイルの待機手順ブロックに測定項目が対応付けられていることを示す図である。
【図３】本発明の一実施形態に係る試験手順作成装置の処理内容を示すフローチャートである。
【図４】本発明の一実施形態に係る試験手順の例を示す図である。
【図５】本発明の一実施形態に係る試験手順作成装置が待機手順ブロックに測定項目表示処理を組み込む過程の例を示す図である。
【図６】本発明の一実施形態に係る試験手順作成装置によって作成された試験手順が実行されて待機手順実行中に測定項目の値が表示されている例を示す図である。
【発明を実施するための形態】
【００１９】
以下、本発明の実施形態について図を参照しながら説明する。図１は、本発明の一実施形態に係る試験手順作成装置１０の機能構成を示すブロック図である。図２は、本発明の一実施形態に係る試験手順ファイルの待機手順ブロックに測定項目が対応付けられていることを示す図である。
【００２０】
試験手順は、試験手順作成装置１０や、試験手順を作成する別の装置によって試験手順ファイルとして作成され、例えば、試験手順ＤＢ３１（データベース）に記憶さている。試験手順は、例えば、試験手順を表わす試験手順用プログラミング言語によって記載されている。試験手順用プログラミング言語によって表わされた試験手順は、フローチャートで表わされ（図４参照）、試験対象に対する指令や判断等の処理手順ブロックや、待機する待機手順ブロック等の各手順ブロックから構成されている。
【００２１】
試験手順作成装置１０は、待機手順選択部１１と、測定項目選択部１２と、表示処理組み込み部１３と、入出力処理部１４とを備える。以下、各部について詳述する。
【００２２】
待機手順選択部１１は、試験手順を構成する手順のうち待機する手順である待機手順を選択する。具体的には、待機手順選択部１１は、試験手順を構成する手順ブロックを検索し、待機手順ブロックを抽出し、抽出した待機手順ブロックを選択した待機手順とする。また、入出力処理部１４が、試験手順をフローチャート形式で表示部１０１に表示出力し、入力部１０２（例えば、マウスやキーボード等）から指定を入力し、待機手順選択部１１は、表示されたフローチャート上の位置であって入力された位置に対応する待機手順を、選択した待機手順としてもよい。
【００２３】
測定項目選択部１２は、待機手順選択部１１によって選択された待機手順に対応付けて、試験手順によって測定される測定項目を選択する。具体的には、測定項目選択部１２は、待機手順選択部１１によって選択された待機手順に、試験手順によって測定される測定項目を対応付ける。試験手順によって測定される測定項目は、試験手順ファイルに測定対象として試験手順用プログラミング言語によって書かれている測定項目である。また、測定項目選択部１２は、入出力処理部１４が、入力部１０２（例えば、マウスやキーボード等）から入力した測定項目の指定を受け付け、受け付けた指定により指定された測定項目を、選択した測定項目としてもよい。
【００２４】
表示処理組み込み部１３は、測定項目選択部１２によって選択されて待機手順に対応付けられた測定項目の値を、試験手順が実行されて待機手順が実行された場合に表示するように、測定項目を表示する測定項目表示処理を試験手順に組み込む。具体的には、表示処理組み込み部１３は、選択された待機手順に、選択された測定項目を、例えば図２に示す様に、対応付けて記憶させる。次に、表示処理組み込み部１３は、対応付けられた測定項目を表示する測定項目表示処理を、待機手順ブロックのなかに組み込む。
【００２５】
さらに、表示処理組み込み部１３は、試験手順の実行中に、測定項目の値を表示するか否かを変更できるように組み込む。例えば、表示処理組み込み部１３は、試験手順の実行中に、キーボードからＦ１キーが押下されると測定項目の値を表示し、キーボードから再びＦ１キーが押下されると測定項目の値を表示しない処理を組み込む。
【００２６】
図３は、本発明の一実施形態に係る試験手順作成装置の処理内容を示すフローチャートである。試験手順作成装置１０は、コンピュータ及びその周辺装置が備えるハードウェア並びに該ハードウェアを制御するソフトウェアによって構成され、以下の処理は、試験手順作成装置１０の制御部（例えば、ＣＰＵ）が所定のソフトウェアに従い実行する処理である。
【００２７】
ステップＳ１１において、試験手順作成装置１０（待機手順選択部１１、入出力処理部１４）は、待機手順ブロックを選択する。より具体的には、試験手順作成装置１０は、試験手順をフローチャート形式で表示部１０１に表示出力し、入力部１０２（例えば、マウス）による指定を入力し、表示されたフローチャート上の位置であって入力した位置に対応する待機手順ブロックを、選択した待機手順ブロックとする。その後、試験手順作成装置１０は、処理をステップＳ１２に移す。
【００２８】
ステップＳ１２において、試験手順作成装置１０（測定項目選択部１２、入出力処理部１４）は、測定項目を選択する。より具体的には、試験手順作成装置１０は、測定項目の一覧を表示し、表示した測定項目のうち入力部１０２（例えば、マウス）による指定を入力し、入力した指定により指定された測定項目を、選択した測定項目とする。その後、試験手順作成装置１０は、処理をステップＳ１３に移す。
【００２９】
ステップＳ１３において、試験手順作成装置１０（表示処理組み込み部１３）は、選択した待機手順ブロックに、選択した測定項目を対応付けて記憶させる。より具体的には、試験手順作成装置１０は、ステップＳ１１で選択した待機手順ブロックに、ステップＳ１２で選択した測定項目を対応付けて、試験手順ＤＢ３１に記憶させる。その後、試験手順作成装置１０は、処理をステップＳ１４に移す。
【００３０】
ステップＳ１４において、試験手順作成装置１０（表示処理組み込み部１３）は、選択した待機手順ブロックに、測定項目表示処理を組み込む。より具体的には、試験手順作成装置１０は、待機手順ブロックに対応付けられた測定項目を表示する測定項目表示処理を、ステップＳ１１で選択された待機手順ブロックのなかに組み込む。その後、試験手順作成装置１０は、処理を終了する。
【００３１】
図４は、本発明の一実施形態に係る試験手順作成装置１０の試験手順の例を示す図である。図４の例は、エンジン回転速度とトルクの値とを変化させながらデータ計測を行うエンジン試験手順の例である。このエンジン試験手順を構成する手順ブロックＴ０１からＴ１０のうち、待機３０［Ｓ］ブロックＴ０７が、待機手順ブロックである。
【００３２】
図５は、本発明の一実施形態に係る試験手順作成装置１０が待機手順ブロックに測定項目表示処理を組み込む過程の例を示す図である。図５の例は、試験手順作成装置１０が、マウスポインタ２０１により指定された待機手順ブロックに、測定項目一覧１１１から選択された測定項目を対応付けている、ことを示している。
【００３３】
図６は、本発明の一実施形態に係る試験手順作成装置１０によって作成された試験手順が実行されて待機手順実行中に測定項目の値が表示されている例を示す図である。図６の例は、試験手順実行装置（図示せず）が、試験手順作成装置１０によって作成された試験手順を実行している例であって、試験手順が実行されてトルクの値を変化させながらデータ計測を行っているなかで、待機手順が実行されて、待機手順ブロックに対応付けられた測定項目である排気温度が表示装置３０１に表示されている例である。
【００３４】
本実施形態によれば、試験手順作成装置１０は、試験手順を構成する手順ブロックのうち待機する手順である待機手順ブロックを選択し、選択した待機手順ブロックに対応付けて、試験手順によって測定される測定項目を選択し、選択して待機手順ブロックに対応付けられた測定項目の値を、試験手順が実行されて待機手順ブロックが実行された場合に表示するように、測定項目を表示する測定項目表示処理を待機手順ブロックに組み込む。さらに、試験手順作成装置１０は、試験手順の実行中に、測定項目の値を表示するか否かを変更できるように、測定項目表示処理を試験手順に組み込み、待機手順ブロックの選択を、表示出力されたフローチャート上で指定入力できるようにする。
したがって、試験手順作成装置１０は、試験手順を入力したユーザの意図通りに試験が実行されていることを、ユーザが容易に確認することができるようにすることができる。
【００３５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００３６】
１０    試験手順作成装置
１１    待機手順選択部
１２    測定項目選択部
１３    表示処理組み込み部
１４    入出力処理部
３１    試験手順ＤＢ
１０１  表示部
１０２  入力部
【図１】
0005916473.tif 000002
【図２】
0005916473.tif 000003
【図３】
0005916473.tif 000004
【図４】
0005916473.tif 000005
【図５】
0005916473.tif 000006
【図６】
0005916473.tif 000007